(57)【要約】【課題】設置コスト及び撤去コストを低減でき、非積雪期の保管にも便利なビルの屋上に設置する雪庇防止装置を提供する。【解決手段】雪庇防止装置１は、雪庇発生箇所であるビルの屋上縁２から所定距離おいた位置に設置するでもので、ネット６を枠体５に張設してなる多数のフェンス部材３を連接し、隣接する各側部を、補助具７，８を介して分離可能に連結するとともに、下端に重錘１１を備えた一対の脚部４の上端を、フェンス部材３を起立状態に前後位置で支持するように、前記各補助具７，８に分離可能に取り付けたものである。この雪庇防止装置１は、屋上で積雪量や風向きに応じた位置に組み立てて設置することが可能なので、施工が容易でコストを一層低減でき、また、分解可能なので、撤去コストを低減できるほか、保管場所もとらない。【選択図】　　　　図１
0003097165.tif 000002
【実用新案登録請求の範囲】
【請求項１】
雪庇発生箇所であるビルの屋上縁から所定距離おいた屋上に設置する雪庇防止装置であって、風は通過可能だが雪の通過は困難なフェンス部材を、下端に重錘を備える脚部によって起立支持し、かつ分離可能に多数連設したことを特徴とするビルの屋上に設置する雪庇防止装置。
【請求項２】
雪庇発生箇所であるビルの屋上縁から所定距離おいた屋上に設置する雪庇防止装置であって、ネットを枠体に張設してなる多数のフェンス部材を連接し、隣接する各側部を、補助具を介して分離可能に連結するとともに、下端に重錘を備えた一対の脚部の上端を、フェンス部材を起立状態に前後位置で支持するように、前記各補助具に分離可能に取り付け、かつ、前記フェンス部材の上部に補助フェンス部材を増設可能となしたことを特徴とするビルの屋上に設置する雪庇防止装置。
【考案の詳細な説明】
【０００１】
【考案の属する技術分野】
ビルの屋上縁に雪庇が発生し、これが不意に落下すると、その下の通行人や車両に危害が及ぶため、積雪量が多い地方では雪庇の発生を防止することがビル管理者の責務である。そして、本考案は、この雪庇発生箇所であるビルの屋上縁から所定距離をおいた位置に設置する雪庇防止装置に係り、特に、設置位置を随意選択できるとともに、分解組み立て可能なビルの屋上に設置する雪庇防止装置に関する。
【０００２】
【従来の技術】
従来、ビルの屋上縁に雪庇が発生するのを防止するには、前記屋上縁近傍を、人力で除雪したり、前記屋上縁近傍にルーフヒーティング（電熱線）を布設するのが一般的であったが、人力での除雪は重労働となるという問題があり、またルーフヒーティングを布設した場合は多大の電力を必要とし経費的に問題があった。そして、これらの問題を解決するものとして、網板の下端に設けた鈎枠を屋上縁に固定することによって前記網板を立設した雪庇防止装置が提案されている（特許文献１）。
【０００３】
【特許文献１】
実公平０１−０２６８２２号公報（第１図参照。）。
【０００４】
【考案が解決しようとする課題】
上記特許文献１の雪庇防止装置は、網枠を屋上縁に固定するように構成してあるので、設置に手間がかかり、施工コスト及び撤去コストも高価になるという問題があった。
【０００５】
【課題を解決するための手段】
ところで、雪庇は、風下に位置する積雪したビルの屋上縁に発生する（図１０参照）ので、風の流れで積雪が移動して前記屋上縁から突出しないようにすればその発生を防止することができるものである。そして、請求項１に記載の本考案は、前記雪庇発生のメカニズムと上記従来技術の問題とを考慮してなされたもので、雪庇発生箇所であるビルの屋上縁から所定距離おいた屋上に設置する雪庇防止装置であって、多量の積雪が風の流れで屋上縁側に移動しないように、風は通過可能だが雪の通過は困難なフェンス部材を、下端に重錘を備える脚部によって起立支持し、かつ分離可能に多数連設したものである。
【０００６】
また、請求項２に記載の本考案は、雪庇発生箇所であるビルの屋上縁から所定距離おいた屋上に設置する雪庇防止装置であって、ネットを枠体に張設してなる多数のフェンス部材を連接し、隣接する各側部を、補助具を介して分離可能に連結するとともに、下端に重錘を備えた一対の脚部の上端を、フェンス部材を起立状態に前後位置で支持するように、前記各補助具に分離可能に取り付け、かつ、前記フェンス部材の上部に補助フェンス部材を増設可能となしたことを特徴とするものである。
【０００７】
【考案の実施の形態】
次に、本考案の好適な実施形態を添付図面の図１〜図９に基づいて詳細に説明する。ここにおいて、図１はビルの屋上に設置した状態を示す側面図、図２は正面図、図３は拡大側面図、図４は部分拡大正面図、図５は部分拡大平面図、図６は図３のＡ−Ａ拡大断面図、図７は上部補助具の正面図、図８は下部補助具の正面図、図９は補助フェンス部材をフェンス部材の上に取り付けた状態を示す縦断側面図である。
【０００８】
図１及び図２に示すように、雪庇防止装置１は、雪庇発生箇所であるビルの屋上縁２から所定距離おいた前記屋上に立設状態で配置するもので、多量の積雪が風の流れで屋上縁側に移動しないように阻止するフェンス部材３を、脚部４の支持によって起立させ、かつ分離可能に多数連設したものである。
【０００９】
図２、図５及び図６に示すように、各フェンス部材３は、アングル材により四角形に形成した枠体５に金属製のネット６を張設してなる。
【００１０】
図３〜図６に示すように、フェンス部材３は、その側縁どうしをそれぞれ上部補助具７及び下部補助具８を介在させてボルトナット９により分解可能に連結するものである。
【００１１】
図３〜図５に示すように、各脚部４は、セメントにより円盤状に形成し、上面に連結板１０を固定した一対の重錘１１をフェンス部材３前後に配置し、これら重錘１１の前記連結板１０と前記上部補助具７とに、アングル材でなる傾斜脚杆１２をボルトナット９により分解可能に連結するとともに、前記連結板１０と前記下補助具８とに、アングル材で形成した水平脚杆１３をボルトナット９により分解可能に連結して構成する。なお、この両重錘１１の下面と前記各フェンス部材３の下端とはほぼ同一面上になるようにして、設置場所であるビルの屋上面に前記両重錘１１の下面と前記各フェンス部材３の下端が安定して載るように構成する。前記重錘１１は、その重さによって、風を受けたフェンス部材３が移動したり転倒しないように支持するものである。
【００１２】
また、図６及び図９に示すように、雪庇防止装置１は、降雪量が多く積雪がフェンス部材３の高さを越えるような時に、フェンス部材３の上に補助フェンス部材１４を増設し得るように構成するもので、フェンス部材３の上縁に連結孔３ａ（図６参照）を設ける一方、前記補助フェンス部材１４の下縁に連結孔を設ける。前記補助フェンス部材１４は、横方向の長さが前記フェンス部材３と同じで、かつ、高さがフェンス部材３より低い四角形にアングル材で形成した枠体１７に金属製のネット（図示せず）を張設してなるものである。この補助フェンス部材１４の前記増設にあたっては、前記フェンス部材３の上縁に前記補助フェンス部材１４の下縁を載せ、前記フェンス部材３の連結孔３ａとに前記補助フェンス部材１４の連結孔（図示せず）にボルトナット９を挿入し、緊締することによって連結する。
【００１３】
続いて、上記雪庇防止装置１の組み立て手順を説明する。先ず、ビルの屋上縁２から所定距離離れた位置において、前記屋上端と平行に、かつ起立状態となした二枚のフェンス部材３の側端どうしを、上部補助具７と下部補助具８を介在させ、ボルトナット９によって連結する。次に、水平脚杆１３の両端を、重錘１１の連結板１０と下部補助具８とにボルトナット９で連結するとともに、傾斜脚杆１２の両端を前記連結板１０と上部補助具７とに連結して脚部４を構成し、前記各フェンス部材３を起立状態に支持する。さらに続いて、新たなフェンス部材３の側端に前記一方のフェンス部材３の側端を、上部補助具７と下部補助具８を介在させ、ボルトナット９によって連結し、かつ一対の脚部４を前記と同様に、フェンス部材３前後に設ける。このようにして、新たなフェンス部材３を順次連結するとともに、それらの前後に一対の脚部４を設け、雪庇防止装置１となす。また、雪庇防止装置の両端に位置する各フェンス３の各外側縁にも、上部補助具７と下部補助具８をボルトナット９で固定し、脚部４をフェンス部材３前後に設ける。さらに、積雪が多く前記フェンス部材３を越えることが予想される場合には、補助フェンス部材１４の各下縁を各フェンス部材３の上縁に載せ、補助フェンス部材１４を、その連結孔とフェンス部材３の連結孔３ａを対応位置させるようにして該フェンス部材３の上に載せ、ボルトナット９を挿入、緊締して連結し、積雪の深さよりフェンスが高く成るように増設する。なお、この補助フェンス部材１４の増設作業は、積雪が深くなってから行ってもよい。
【００１４】
図１に示すように、冬期に風下となることが多いビル屋上縁２から所定距離おいて雪庇防止装置１を上記のように設置すると、この雪庇防止装置１より内側の積雪は、屋上縁側に移動することを阻止されるので、前記屋上縁２に雪庇が発生しない。なお、降雪量が多く前記雪庇防止装置１外側に雪庇が張り出しても、この雪庇は雪庇防止装置１外側の屋上に落ち、屋上縁から下に落下することはない。また、積雪期が終わったら、前記各ボルトナット９を外して、フェンス部材３、補助フェンス部材１４、上部補助具７、下部補助具８、脚部４の重錘１１、傾斜脚杆１２、水平脚杆１３にそれぞれ分解し、所定の保管場所に保管する。
【００１５】
なお、本考案は上記実施形態になんら限定されるものではなく、例えば、脚部４の構成は重錘１１を用い、フェンス部材３を起立状態に安定して保つことができるものであれば、他の構造を有するものであってもよい。また、補助フェンス部材１４を増設可能としなくてもよい。
【００１６】
【考案の効果】
以上説明したように、請求項１の本考案によれば、雪庇が発生しやすいビルの屋上縁側への積雪の移動を阻止することが可能なので、雪庇の発生を防止することができるとともに、ビルの屋上縁に固定することなく、屋上で積雪量や風向きに応じた位置に組み立てて設置することが可能なので、施工が容易でコストを低減でき、また、分解可能なので、撤去コストを低減できるほか、保管場所もとらないという効果を奏する。
【００１７】
また、請求項２の本考案によれば、雪庇が発生しやすいビルの屋上縁側への積雪の移動を阻止することが可能なので、雪庇の発生を防止することができるとともに、多数のフェンス部材どうしの各側部を、補助具を介して分離可能に連結し、下端に重錘を備えた一対の脚部を、フェンス部材を起立状態に前後位置で支持するように、前記各補助具に分離可能に取り付けたので、ビルの屋上縁に固定することなく、屋上で積雪量や風向きに応じた位置に組み立てて設置することが可能なので、施工がより容易でコストを一層低減でき、また、分解可能なので、撤去コストを低減できるほか、保管場所もとらないうえ、降雪量に応じて、フェンスの高さを変えることが可能であるという効果を奏する。
【図面の簡単な説明】
【図１】ビルの屋上に設置した状態を示す側面図。
【図２】正面図。
【図３】拡大側面図。
【図４】部分拡大正面図。
【図５】部分拡大平面図。
【図６】図３のＡ−Ａ拡大断面図。
【図７】上部補助具の正面図。
【図８】下部補助具の正面図。
【図９】補助フェンス部材をフェンス部材の上に取り付けた状態を示す部分拡大縦断側面図
【図１０】雪庇防止装置を設置しない積雪状態におけるビルの屋上の側面図。
【符号の説明】
１　　雪庇防止装置
２　　ビルの屋上縁
３　　フェンス部材
３ａ　　連結孔
４　　脚部
５　　枠体
６　　ネット
７　　上部補助具
８　　下部補助具
９　　ボルトナット
１０　　連結板
１１　　重錘
１２　　傾斜脚杆
１３　　水平脚杆
１４　　補助フェンス部材
【図１】
0003097165.tif 000003
【図２】
0003097165.tif 000004
【図３】
0003097165.tif 000005
【図４】
0003097165.tif 000006
【図５】
0003097165.tif 000007
【図６】
0003097165.tif 000008
【図７】
0003097165.tif 000009
【図８】
0003097165.tif 000010
【図９】
0003097165.tif 000011
【図１０】
0003097165.tif 000012